(57)【要約】【課題】回動可能に保持する弾性部材を傷付けることなく、被取付部に埋め込む部分の高さを低くして、奥行きスペースが浅い被取付部に取り付けることができる照明器具を提供する。【解決手段】光源４０を収容する部分球面状の灯体３０は、被取付部１１に取り付けられる器具本体２０に回動可能に取り付けられる。灯体３０における光源４０の光照射方向には透明カバー４５が取り付けられ、灯体３０における透明カバー４５と反対側には、灯体３０の半径よりも小さな半径の半球部３６が設けられている。そして、器具本体２０に、半球部３６の外周面に押圧接触する板状の弾性部材２６を設けた。このため、灯体３０を回動可能に保持する弾性部材２６を傷付けることなく、被取付部１１に埋め込む部分の高さを低くして、奥行きスペースが浅い被取付部１１に取り付けることができる。【選択図】図１
2015015144.tif 000002
【特許請求の範囲】
【請求項１】
被取付部に取り付けられる器具本体と、
光源を収容し、回動中心を中心として前記器具本体に回動可能に取り付けられる部分球面状の灯体と、
前記灯体の前記光源の光照射方向に設けられる透明カバーと、を有し、
前記灯体における前記透明カバーと反対側に、前記灯体の半径よりも小さな半径の半球部を設けるとともに、
前記器具本体に、前記半球部の外周面に押圧接触する板状の弾性部材を設けた照明器具。
【発明の詳細な説明】
【技術分野】
【０００１】
本発明は、灯体の向きを自在に可変して光の照射方向を調節できる照明器具に関するものである。
【背景技術】
【０００２】
従来、光源を具備する灯体の向きを自在に可変して光の照射方向を調節できる照明器具が知られている（例えば、特許文献１参照）。
図５に示すように、特許文献１に記載の照明器具１００は、器具本体１０１と、器具本体１０１に回動可能に支持され光源１０３を具備した灯体１０２を有する。
器具本体１０１の上端部には開口１０５が設けられており、開口１０５を覆うように弾性部材１０６が取り付けられている。
【０００３】
灯体１０２における光源１０３の前方には、半球状のカバー体１０４が取り付けられている。
灯体１０２は、カバー体１０４の中心ＣＰを中心として、器具本体１０１に回動可能に支持されている。
灯体１０２の上面には、円錐体１０７が取り付けられている。円錐体１０７の先端１０８は尖っており、弾性部材１０６の下面に当接する。
【０００４】
従って、器具本体１０１に対して灯体１０２を中心ＣＰの周りに回転させると、灯体１０２に取り付けられている円錐体１０７の先端が、弾性部材１０６の下面に接触して移動する。
このとき、灯体１０２は、カバー体１０４を器具本体１０１の開口部１０９に押し付けながら回動する。
なお、中心ＣＰから円錐体１０７の先端１０８までの長さは、カバー体１０４の半径よりも小さい。
これにより、照明器具１００は、器具本体１０１側を薄くすることができ、器具本体１０１側の配設空間が確保されづらい構造物にも容易に取り付けることができる。
【先行技術文献】
【特許文献】
【０００５】
【特許文献１】特開２００８−２３５１７９号公報（第１図）
【発明の概要】
【発明が解決しようとする課題】
【０００６】
しかしながら、従来の照明器具１００においては、円錐体１０７の先端１０８が尖っているため、弾性部材１０６を傷付けるおそれがあるという問題があった。
【０００７】
本発明は、従来の問題を解決するためになされたもので、灯体を回動可能に保持する弾性部材を傷付けることなく、被取付部に埋め込む部分の高さを低くして、奥行きスペースが浅い被取付部に取り付けることができる照明器具を提供することを目的とする。
【課題を解決するための手段】
【０００８】
本発明の照明器具は、被取付部に取り付けられる器具本体と、光源を収容し、回動中心を中心として前記器具本体に回動可能に取り付けられる部分球面状の灯体と、前記灯体の前記光源の光照射方向に設けられる透明カバーと、を有し、前記灯体における前記透明カバーと反対側に、前記灯体の半径よりも小さな半径の半球部を設けるとともに、前記器具本体に、前記半球部の外周面に押圧接触する板状の弾性部材を設けたものである。
【発明の効果】
【０００９】
本発明は、灯体における透明カバーと反対側に、灯体の半径よりも小さな半径の半球部を設けるとともに、器具本体に、半球部の外周面に押圧接触する板状の弾性部材を設けた。このため、灯体を回動可能に保持する弾性部材を傷付けることなく、被取付部に埋め込む部分の高さを低くして、奥行きスペースが浅い被取付部に取り付けることができるという効果を有する照明器具を提供できる。
【図面の簡単な説明】
【００１０】
【図１】本発明に係る実施形態の照明器具を中央において上下方向に切断した断面図
【図２】図１中ＩＩ方向から見た平面図
【図３】各部位の寸法を説明する説明図
【図４】灯体を最大限回動させた状態の断面図
【図５】従来の照射方向が変更可能な照明器具の断面図
【発明を実施するための形態】
【００１１】
以下、本発明に係る実施形態の照明器具について、図面を用いて説明する。
図１に示すように、実施形態の照明器具１０は、例えば天井１１等の被取付部に設けられている取付孔１２に埋め込んで取付け、主に下方を照明するダウンライトとして用いることができる。
なお、以下の説明においては、照明器具１０の光照明方向を下（下方、下側）とし、光照明方向と反対側を上（上方、上側）として説明する。
【００１２】
照明器具１０は、天井１１の取付孔１２に取り付けられて天井裏１３に収容される器具本体２０と、光源であるＬＥＤユニット４０を収容し、回動中心ＣＰを中心として器具本体２０に回動可能に取り付けられる灯体３０を有する。
【００１３】
器具本体２０は、上下が開口した円筒形状の枠体２１を有する。枠体２１の下端部には、外側に延びるリング板状の鍔部２２が設けられている。鍔部２２は、器具本体２０を取付孔１２に取り付けた際に、上面２２１が天井面１１１に当接して位置決めされ、下面２２２は下方に露出する。
枠体２１の下開口部２３は、下開口部２３の中心に向かうに従って上方に傾斜した円錐台形状の反射面２３１を有する。図３に示すように、反射面２３１は、ＬＥＤユニット４０からの光ＬＢ１、ＬＢ２が照射されて影ができない角度で傾斜しており、照射された光を下方へ反射（反射光ＬＢ３、ＬＢ４）する。
【００１４】
図１に示すように、反射面２３１の上側には、上下方向に延びる立壁２３２が設けられており、立壁２３２の上部は、球面状の摺接面２３３を有する。
摺接面２３３は、灯体３０を回動させる際に、灯体３０に傷付けるのを防止する観点から、回動平面状あるいは球面状に形成することができる。
【００１５】
図２にも示すように、枠体２１の上開口部２４には、蓋板２５が取り付けられる。蓋板２５は全体矩形状の板部材であり、上開口部２４の中央部を覆う。蓋板２５の長手方向両端部は、幅が細い取付部２５１が設けられている。
取付部２５１は、下方にＪ字形状に折曲げられており、枠体２１の上端部に設けられている取付スリット２１１に引っ掛けられている。
【００１６】
枠体２１の上開口部２４における蓋板２５の下側には、弾性部材２６が設けられている。弾性部材２６は、細幅の板状部材であり、中央部には幅広部２６１が設けられている。また、弾性部材２６の長手方向両端部には幅細の取付部２６２が設けられており、上方に向かって折曲げられている。
【００１７】
取付部２６２は、枠体２１に設けられている取付けスリット２１２に引っ掛けられており、特に上向きに力が作用しても、取付けスリット２１２から脱落しないようになっている。取付けスリット２１２は、枠体２１の上端部において、蓋板２５用の取付けスリット２１１に対して周方向にずれた位置で、取付けスリット２１１よりも下方に設けられている。
従って、弾性部材２６は、蓋板２５に対して傾いて取り付けられており、枠体２１の中央部において蓋板２５の下方で交差する。
【００１８】
灯体３０は、上下に開口した半径Ｒ１（図３参照）の球面の一部から構成される外周面３１１を備えた灯体本体３１を有する。
灯体３０の上開口３２は、外周面３１１を形成する球面の略中心で直径方向に切断されて形成されている。
上開口３２には、上開口３２全体を覆う円板状の灯体天板３５が取り付けられている。灯体天板３５の下面中心は、灯体本体３１の外周面３１１を形成する球面の中心であり、灯体３０の回動中心ＣＰである。
灯体天板３５の上面には、回動中心ＣＰを中心とした略半球状の半球部３６が設けられている。半球部３６の半径Ｒ２は、灯体本体３１の外周面３１１の半径Ｒ１よりも小さい（図３参照）。
【００１９】
図３に示すように、回動中心ＣＰに対する弾性部材２６の取付高さＨ１は、半球部３６の半径Ｒ２よりも小さい。
すなわち、半球部３６の頂点３６１は、常に弾性部材２６の下面に接触しており、弾性部材２６によって下方に押圧されている。
これにより、灯体３０は器具本体２０に対して下方へ付勢されており、灯体３０の外周面３１１は、常に器具本体２０の摺接面２３３に押し付けられ、外周面３１１と摺接面２３３との間の摩擦力により、回動可能に位置決めされる。
【００２０】
図１に示すように、灯体本体３１の下開口３３の上側には、内側に水平に延びる段部３４が設けられている。また、灯体本体３１の下開口３３を形成する下端部には、下方に突出する凸部３１２が設けられている。
回動中心ＣＰから凸部３１２までの距離Ｌ１は、灯体本体３１の外周面３１１の半径よりも長い（図３参照）。
このため、図４に示すように、灯体３０は、凸部３１２が立壁２３２に当接する位置まで回動可能となる。
【００２１】
図１に示すように、ＬＥＤユニット４０は、灯体３０の灯体天板３５の下面中心に設けられているベース４１と、ベース４１の下面に取り付けられる基板４２と、基板４２の実装面である下面に実装されるＬＥＤチップ４３を有する。
基板４２の実装面には、１個または複数個のＬＥＤチップ４３が実装され、封止部材４４により封止されている。
【００２２】
ＬＥＤチップ４３の照射方向前方（すなわち、下方）には、ＬＥＤチップ４３からの照射光を配光制御するために透明樹脂からなるレンズ体（透明カバー）４５が設けられている。
レンズ体４５は、中央に凹部４５１を有しており、半球状の封止部材４４からの光を効率よく取り入れるようになっている。また、レンズ体４５の出射面である下面には、種々の模様４５３が形成されており、配光制御する。
レンズ体４５の外周部には、外側に突出するフランジ部４５２が設けられており、灯体３０の段部３４に引っ掛けて取り付けられる。
【００２３】
次に、灯体３０を回動させて、照射方向を調整する動作について説明する。
前述したように、灯体３０は、器具本体２０に取り付けられている弾性部材２６が、灯体３０の半球部３６を下方へ押圧し、灯体３０の外周面３１１が器具本体２０の摺接面２３３に押し付けられ、発生する摩擦力により灯体３０の方向が位置決めされている。
このため、灯体３０を回動させる際には、まず、灯体３０を器具本体２０の内側（上側）に押し込んで、灯体３０の外周面３１１を器具本体２０の摺接面２３３から離して、摩擦力の発生を解除する。
【００２４】
この状態で灯体３０を回動させると、灯体３０の半球部３６が弾性部材２６の下面に接触した状態で灯体３０を回動させることができる。
灯体３０の方向を調整した後は、灯体３０を押し込む力を解放して、灯体３０の外周面３１１を器具本体２０の摺接面２３３に押し付ける。これにより、摩擦力が生じるので、灯体３０の向きを固定することができる。
【００２５】
次に、照明器具１０の作用効果について説明する。
ＬＥＤユニット４０を収容する部分球面状の灯体３０は、天井１１に設けられた取付孔１２に取り付けられる器具本体２０に、回動可能に取り付けられる。灯体３０におけるＬＥＤユニット４０の光照射方向にはレンズ体４５が取り付けられ、灯体３０におけるレンズ体４５と反対側には、灯体３０の半径よりも小さな半径の半球部３６が設けられている。そして、器具本体２０に、半球部３６の外周面に押圧接触する板状の弾性部材２６を設けた。
このため、灯体３０を回動可能に保持する弾性部材２６を傷付けることなく、天井１１に埋め込む部分の高さを低くして、天井裏１３の奥行きスペースが浅い天井１１に取り付けることができる。
【００２６】
本発明の照明器具は、前述した実施形態に限定されるものでなく、適宜な変形、改良等が可能である。
【符号の説明】
【００２７】
１０  照明器具
１１  天井（被取付部）
２０  器具本体
２６  弾性部材
３０  灯体
３６  半球部
４０  ＬＥＤユニット（光源）
４５  レンズ体（透明カバー）
ＣＰ  回動中心
【図１】
2015015144.tif 000003
【図２】
2015015144.tif 000004
【図３】
2015015144.tif 000005
【図４】
2015015144.tif 000006
【図５】
2015015144.tif 000007